(57)【要約】【課題】容器の内圧が著しく上昇した際に、内圧を開放して蓋飛び等の事故を防止するとともに、所定以下の内圧値で内圧開放することがなく、かつ、使用者の手指に不快感を与えたり、使用者の手指を負傷させることのない安全な容器蓋を提供すること。【解決手段】容器蓋１００のスカート壁１１０のネジ形成領域１１１より天面壁１２０側に、上方から第１環状ビード１１２及び第２環状ビード１１３が設けられ、第１環状ビード１１２と第２環状ビード１１３の間の溝部１１４に、円周方向に所定長さの少なくとも１つのスリット１１５が設けられ、第２環状ビード１１３には、円周方向に凹凸部を設けたナール１１６が形成され、ナール１１６が、第２環状ビード１１３のネジ形成領域側に設けられ、スリット１１５の切断縁がすべて内方を向いていること。【選択図】図１
2018111537.tif 000002
【特許請求の範囲】
【請求項１】
天面壁と、前記天面壁から周縁に垂下するスカート壁とを有する容器蓋であって、
前記スカート壁のネジが形成されるネジ形成領域より天面壁側に、上方から第１環状ビード及び第２環状ビードが設けられ、
前記第１環状ビードと第２環状ビードの間の溝部には、円周方向に所定長さの少なくとも１つの要求される内圧での内圧開放を行うスリットが設けられ、
前記第２環状ビードには、円周方向に凹凸部を設けたナールが形成され、
前記ナールが、前記第２環状ビードのネジ形成領域側に設けられ、
前記スリットの切断縁が、すべて内方を向いていることを特徴とする容器蓋。
【請求項２】
前記スリットが、前記スリットの円周方向の中央から見て前記ナールが左右対称に配置されるように形成されていることを特徴とする請求項１に記載の容器蓋。
【請求項３】
前記第１環状ビードと第２環状ビードの最大外径が、同一径であることを特徴とする請求項１または請求項２に記載の容器蓋。
【請求項４】
前記スリットの円周方向の長さが、容器蓋の直径の２５乃至５０％であることを特徴とする請求項１乃至請求項３のいずれかに記載の容器蓋。
【発明の詳細な説明】
【技術分野】
【０００１】
本発明は、容器口部に装着される容器蓋に関し、特に、容器の内圧が著しく上昇した際に、内圧を開放して蓋飛び等の事故を防止する容器蓋に関する。
【背景技術】
【０００２】
従来、容器口部に装着される容器蓋として、金属薄板で形成された容器蓋が広く実用に供されている。
一般的な容器蓋は、円形の天面壁とこの天面壁から周縁に垂下する円筒形状のスカート壁とを有し、天面壁の内面には合成樹脂製ライナーが配設されており、上面が開放された円筒形状の口部を有する金属薄板、ガラスあるいは合成樹脂等で形成された容器に適用される。
容器の口部の外周面には雄ネジが形成されており、容器の口部に容器蓋を装着して口部を密封する際には、口部に容器蓋を被嵌し、スカート壁のネジ形成領域に口部の雄ネジに対応する雌ネジを形成するように構成されている（例えば、特許文献１等参照。）。
【０００３】
このような容器蓋を適用して密封した容器、あるいは、一旦開封した後に容器蓋を再度螺合して密封した容器は、例えば、高温に曝されたり内容物の発酵、腐敗等が進行した場合や、内容物が炭酸飲料等で強い振動が加わった場合等に、密封した容器の内圧が著しく上昇する場合がある。
その際に、容器蓋が圧力に耐えられずに蓋飛びを引き起こし、周囲の人や物に損傷を与えたり、飛散した内容物で周囲を汚損したりする虞があった。
このような事故を防ぐために、スカート壁のネジ形成領域より天面壁側にスリットを設けた、いわゆる防爆機能付きキャップが公知である。
このスリットは、通常環境下での利用範囲の役割は持たないが、上記のような予期しない条件下において内圧が異常に上昇した際に限り、天面壁の変形にともなって変形開放し、そのことで容器口部と密着するライナーのシールポイントの一部を破壊して内圧を開放し、蓋飛び等の事故を防止する機能を持つ。（例えば、特許文献２、３等参照。）。
【０００４】
例えば、特許文献２で公知の容器蓋は、スカート壁のネジが形成されるネジ形成領域より天面壁側にナールが形成され、該ナールの凹部（ナール部６、７）の上端縁を切断面としてスリット（６ａ、７ａ）を形成している。
また、特許文献３で公知の容器蓋は、スカート壁（１０）のネジが形成されるネジ形成領域（主部１４）より天面壁（８）側にナール（凹凸形状部）が形成され、該ナールよりも上方にスリットを形成している。
【先行技術文献】
【特許文献】
【０００５】
【特許文献１】実開平０１−１５４１４６号公報
【特許文献２】特開２００３−１５５０５２号公報
【特許文献３】特許第４７２７１６２号公報
【発明の概要】
【発明が解決しようとする課題】
【０００６】
公知の内圧を開放するための防爆機能スリットを設けた容器蓋においては、スリットの切断縁の一部は、容器蓋を使用者が把持した際に誤って触れる可能性がある外周位置に存在する。
このため、スリットの切断縁が使用者の手指に不快感を与えたり、スリットの切断縁によって使用者の手指を負傷させる虞がある。
このような事態を抑制するために、スリットの切断縁を滑らかに加工したり、内方に変形させたりすることも考えられる。
【０００７】
しかしながら、容器蓋は、容器口部に巻き締めする際の供給等のハンドリング時に、わずかな打痕や変形が生じることが多く、スリットの切断縁の近傍に打痕や変形が生じた場合、容器口部への巻き締めにともなってスリットの切断縁が外周側に突出することがあるため、切断縁のみの加工では前述の問題を解消することはできない。
さらに、容器内圧が所定の値を超えた際に限り、内圧の開放を確実にするための形状、寸法にスリットを形成する必要があるが、上記のような巻き締め時、あるいは、巻き締め後のスリットの変形によって、所定の値より低い内圧値で開放してしまい、適正な範囲での内圧開放ができないという問題があった。
【０００８】
そこで本発明は、前述したような課題を解決するものであって、容器の内圧が著しく上昇した際に、内圧を開放して蓋飛び等の事故を防止するとともに、所定以下の内圧値で内圧開放することがなく、かつ、使用者の手指に不快感を与えたり、使用者の手指を負傷させることのない安全な容器蓋を提供することを目的とする。
【課題を解決するための手段】
【０００９】
本発明に係る容器蓋は、天面壁と、天面壁から周縁に垂下するスカート壁とを有する容器蓋であって、スカート壁のネジが形成されるネジ形成領域より天面壁側に、上方から第１環状ビード及び第２環状ビードが設けられ、第１環状ビードと第２環状ビードの間の溝部には、円周方向に所定長さの少なくとも１つの要求される内圧での内圧開放を行うスリットが設けられ、前記第２環状ビードには、円周方向に凹凸部を設けたナールが形成され、前記ナールが、前記第２環状ビードのネジ形成領域側に設けられ、前記スリットの切断縁が、すべて内方を向いていることにより、前記課題を解決するものである。
【発明の効果】
【００１０】
本請求項１に係る容器蓋によれば、スカート壁のネジが形成されるネジ形成領域より天面壁側に、上方から第１環状ビード及び第２環状ビードが設けられ、第１環状ビードと第２環状ビードの間の溝部に、円周方向に所定長さの少なくとも１つのスリットが設けられていることにより、スリットが内圧が異常に上昇した際の天面壁の変形にともなって変形開放し、そのことで容器口部と密着するライナーのシールポイントの一部を破壊して内圧を開放するため、蓋飛び等の事故を防止することができる。
また、スリットの切断縁が溝部に存在し、スリットの切断縁が、すべて内方を向いていることで、使用者が容器蓋を把持する際に第１環状ビードと第２環状ビードの外周部のみ手指がかかり、溝部に設けられたスリットの切断縁には手指に触れることがないため、使用者の手指に不快感を与えたり、使用者の手指を負傷させることを防止できる。
さらに、第１環状ビード及び第２環状ビードが溝部より突出していることで、容器蓋を容器口部に適用する際のハンドリング時に、第１環状ビード及び第２環状ビードに打痕や変形が発生しても溝部には打痕や変形は発生せず、巻き締めにともなって溝部に設けられたスリットの切断縁が外周側に突出することはなく、使用者に手指に触れることもない。
そして、巻き締めに伴い、あるいは、巻き締め後の外部からの力や衝撃等によってスリットの変形が発生し難くなり、所定の値でより確実に内圧を開放して蓋飛び等の事故を防止することができる。
【００１１】
また、第２環状ビードには、円周方向に凹凸部を設けたナールが形成されていることにより、使用者が把持した際の滑りを防止することが可能となる。
さらに、ナールが第２環状ビードのネジ形成領域側に設けられていることにより、ナールがスリットと離れた位置に形成されることとなり、巻き締めにともなってスリットの切断縁が外周側に突出することを防止できる。
【００１２】
本請求項２に記載の構成によれば、巻締時等にスリットが円周方向で左右均等に力を受けることが可能となるため、巻き締め時や巻き締め後のスリットの変形をいっそう発生し難くし、確実に内圧を開放して蓋飛び等の事故を防止することができる。
本請求項３に記載の構成によれば、第１環状ビードと第２環状ビードの最大外径が同一径であることにより、溝部の底部が第１環状ビードと第２環状ビードのいずれとも同等の深さとなり、容器蓋を使用者が把持した際にスリットの切断縁に手指に触れることをさらに確実に防止することができる。
本請求項４に記載の構成によれば、内圧が異常に上昇した際にスリットが確実に開放するに必要・充分な長さであり、かつ巻き締め時や巻き締め後のスリットの変形が発生し難い長さであるため、確実に密封しつつ、所定の内圧以上となった際に確実に内圧を開放して蓋飛び等の事故を防止することができる。
【図面の簡単な説明】
【００１３】
【図１】本発明の１実施形態である容器蓋の斜視図。
【図２】本発明の１実施形態である容器蓋の半断面側面図。
【図３】本発明の１実施形態である容器蓋の容器への巻締時の半断面側面図。
【図４】本発明の１実施形態である容器蓋の溝部の製造工程の説明図。
【図５】本発明の１実施形態である容器蓋のスリット及びナールの製造工程の説明図。
【発明を実施するための形態】
【００１４】
以下に、本発明の１実施形態である容器蓋１００の構成について、図面に基づいて説明する。
容器蓋１００は、図１乃至図３に示すように、天面壁１２０と、天面壁１２０から周縁に垂下するスカート壁１１０とを有し、スカート壁１１０のネジが形成されるネジ形成領域１１１より天面壁１２０側に、上方から第１環状ビード１１２及び第２環状ビード１１３が設けられている。
第１環状ビード１１２と第２環状ビード１１３の最大外径は、図２、３に示すように、ほぼ同一径に形成され、第１環状ビード１１２と第２環状ビード１１３の間の溝部１１４には、円周方向に伸びるスリット１１５が３箇所設けられている。
第２環状ビード１１３のネジ形成領域１１１側には、所定間隔で複数個の凹部を設け、円周方向に凹凸部をなすナール１１６が形成されている。
【００１５】
天面壁１２０の裏面には、図３に示すように、容器口部と密着してシールするための合成樹脂製のライナー１０１が固着されている。
また、スカート壁１１０のネジ形成領域１１１の下方に、タンパエビデント部１１７が設けられている。
このタンパエビデント部１１７は、いかなる構造であってもよい。
図１、図２に示すものは、容器口部に最初に装着する前の状態であり、ネジ形成領域１１１は容器口部に装着される際に、容器口部の雄ネジに対応する雌ネジを形成するよう外方から押圧変形される。
図３は、容器Ｃに巻締めた後の容器蓋１００を示すものであり、ネジ形成領域１１１が容器Ｃの雄ネジ形状に形成されるとともに、タンパエビデント部１１７の最下端が容器Ｃ側にカシメ変形される。
また、第１環状ビード１１２が外側から押圧変形されることにより、内側のライナー１０１が容器Ｃの開口部に所定の圧力で密着して容器Ｃの密封性が担保される。
【００１６】
具体的な寸法を示すと、例えば、従来の容器蓋と同一の直径３８ｍｍ規格のもので、上記の実施形態で、天面壁１２０からの距離２．６ｍｍの位置に溝部１１４の底が来るように第１環状ビード１１２及び第２環状ビード１１３を設け、スリット１１５を円周方向の長さ１１．９ｍｍで溝部１１４の底に等間隔に３箇所設けた。
各スリット１１５は、ナール１１６の凹部３つ、凸部２つに対応する長さであり、スリット１１５の円周方向の中央から見てナール１１６の凹凸が左右対称に配置されるように形成されている。
このような容器蓋１００を、従来の容器蓋と同一の条件で巻き締め、第１環状ビード１１２が外側から押圧してライナー１０１を密着させた場合、打痕等の影響はなく確実に容器Ｃを密封でき、要求される内圧（本実施形態では０．６ＭＰａに設定）での内圧開放を行うことができ、かつ、スリット１１５の切断縁が使用者の手に触れることは一切ない容器蓋１００とすることができた。
なお、スリットの長さが容器蓋の直径の２５％未満では、所定の内圧で開放せず蓋飛びが生じるものが発生し、また、５０％を超えると、巻き締め時、あるいは、巻き締め後のスリットの変形によって、所定の値より低い内圧値で開放してしまうものが発生した。
【００１７】
以上のように構成される本発明の１実施形態である容器蓋１００の製造方法について、図４、図５に基づいて説明する。
容器蓋１００は、金属薄板から単純円筒形状のスカート壁１１０を形成した後に、内方、外方から押圧工具によって押圧して、前述したような巻き締め前の最終形状に成形される。
まず、第１工程において、単純円筒形状のスカート壁１１０の内方に、天面壁１２０側から順に内方第１環状ビード形成工具１４１、内方第２環状ビード形成工具１４２、内方ナール形成工具１４３を有する内方の押圧工具が挿入され、容器蓋１００を回転しつつ、外方から溝部形成工具１３１及び第２環状ビード形成工具１３４を内方の押圧工具側に押圧することで、図４に示すように、天面壁１２０側から、第１環状ビード１１２、環状の溝部１１４及び第２環状ビード１１３が形成される。
【００１８】
次に、第２工程において、内方第１環状ビード形成工具１４１、内方第２環状ビード形成工具１４２、内方ナール形成工具１４３を有する内方の押圧工具が挿入されたまま、形成された溝部１１４の外方からスリット形成工具１３２を、形成された第２環状ビード１１３の下半分の外方からナール形成工具１３３を、第２環状ビード１１３より下方の外方から押え工具１３５を同時に押圧することで、図５に示すように、スリット１１５及びナール１１６が形成される。
スリット形成工具１３２、内方ナール形成工具１４３及びナール形成工具１３３は、必要とするスリット１１５の数及び長さ、ナール１１６の凹凸の間隔に応じて、それぞれ、適宜、容器蓋１００の回転に対して断続的に押圧成形するように構成されている。
スリット形成工具１３２の先端部は、中心線から両側にそれぞれ角度１５°の鋭角の両刃カッター形状に形成されており、対向する工具と共同して剪断することなく、押し込みでスリットを形成可能に構成されている。
【００１９】
なお、第２環状ビード１１３より下方（図４、図５の右方向）では、ネジ形成領域１１１が内外方から挟み込まれ、容器蓋１００を成形加工するために回転させるガイドとして機能し、さらに下方（図示の範囲よりさらに右方向）では、タンパエビデント部１１７が前述の工程と並行して適宜の工具により成形加工される。
また、溝部形成工具１３３とスリット形成工具１３２、第２環状ビード形成工具１３４とナール形成工具１３３をそれぞれ一体化して、第１環状ビード１１２、溝部１１４、スリット１１５、第２環状ビード１１３及びナール１１６を１工程で同時に成形加工するようにしてもよい。
【符号の説明】
【００２０】
１００  ・・・容器蓋
１０１  ・・・ライナー
１１０  ・・・スカート壁
１１１  ・・・ネジ形成領域
１１２  ・・・第１環状ビード
１１３  ・・・第２環状ビード
１１４  ・・・溝部
１１５  ・・・スリット
１１６  ・・・ナール
１１７  ・・・タンパエビデント部
１２０  ・・・天面壁
１３１  ・・・溝部形成工具
１３２  ・・・スリット形成工具
１３３  ・・・ナール形成工具（外方）
１３４  ・・・第２環状ビード形成工具（外方）
１３５  ・・・押え工具（外方）
１４１  ・・・内方第１環状ビード形成工具
１４２  ・・・内方第２環状ビード形成工具
１４３  ・・・内方ナール形成工具
Ｃ    ・・・容器
【図１】
2018111537.tif 000003
【図２】
2018111537.tif 000004
【図３】
2018111537.tif 000005
【図４】
2018111537.tif 000006
【図５】
2018111537.tif 000007